(57)【特許請求の範囲】
【請求項１】
互いに平行して水平方向に配列された複数のサイド網により複数の空間単位に仕切られることで、前記複数の空間単位が水平方向に連続して配置されたケージと、
前記ケージの底に配置された上部底網層および下部底網層を含み、
前記上部底網層および下部底網層は、それぞれ底網ブロック部と底網中空部とからなり、
前記底網ブロック部は、前記空間単位の一つの底面積の整数倍の大きさの板材であって、前記ケージの底面を形成し、水平方向に沿ってスライドし、前記ケージに対して直線移動が可能であり、
前記底網中空部は、前記複数の空間単位のいずれか一つの底面積と同じ大きさで形成された孔であって、前記底網ブロック部と一列に配列され、前記底網ブロック部と一体的に移動し、
前記上部底網層および下部底網層は、別の駆動装置によりスライド駆動されることを特徴とする家禽をケージから搬出する装置。
【請求項２】
前記上部底網層の底網ブロック部と前記下部底網層の底網ブロック部全体との面積の合計は、前記複数の空間単位全体の底面積の合計以上であって、前記ケージの全体に対して底面を形成する配置状態に移動できることを特徴とする請求項１に記載の家禽をケージから搬出する装置。
【発明の詳細な説明】
【技術分野】
【０００１】
本発明は、鳥類ハウスの技術分野に属するもので、ＩＰＣ分類記号のＡ０１Ｋ３１グループに属し、特に、家禽をケージから搬出する装置および方法に関するものである。
【背景技術】
【０００２】
最近、現代の自動化した養鶏場は、すべてが正進正出の養鶏方式を用いており、鶏を選ぶと直接屠畜場や屠畜作業場へ移送することになる。人の手でケージの中の鶏を捕らえる場合には、わずらわしく、長い時間がかかり、鶏舎の奥深くにいる鶏は手が直接届かないので、簡単に捕られない。プルタイプ（ｐｕｌｌ−ｔｙｐｅ）底網を持つ鶏舎は、人の手で底網を引き出すものであって、これもまた容易ではなく、鶏が大量かつ成熟した時期に達した時に、前扉と垂直になった方向に沿って底網を十分に引き出して初めて鶏をケージの下にある水平コンベヤーベルトや他の容器に落とすことができるので、作業者の労力をさらに大きく要する。
【０００３】
現在、中国公開特許ＣＮ１０２８９３９０３Ａに公開された「空けやすい肉鶏ケージフレーム」のような、自動的に鶏を選び出し、ケージを空けることができるケージフレームもあるが、そのような肉鶏ケージフレームは、オーバーターンタイプ（ｏｖｅｒｔｕｒｎ−ｔｙｐｅ）の底網を用いるため、底網をオーバーターンする過程で底網の一側辺を必ず持ち上げなければならないが、この時、持ち上げる高さは、上げる角度およびその側辺と回転軸との間の間隔によって変わり、上げる角度が小さすぎると鶏が自動的に落ちることができなくなる。上げる角度の下限制限とケージフレームの各層の高さ制限があるため、その間隔は大きすぎてはならず、その間隔が大きい場合には、ケージフレームの高さも増加し、同じ高さに配置できる鶏舎の階数が減って、鶏舎の空間利用率に影響を及ぼすようになる。また、他方で、上向きにオーバーターンする部分の広さが小さく、下向きにオーバーターンする部分の広さが大きいため、鶏が落ちる時の落下高さが増加し、鶏が落ちた時にけがをしやすいこともあって、鶏の品質に影響を与え得る。したがって、各底網の上向きにオーバーターンする半分の部分と下向きにオーバーターンする半分の部分とが広すぎてはならず、各底網の広さもあまり大きくすることはできない。一つの単位内の鶏をすべて選び出してケージを空けるため、複数のオーバーターン機構が必要なので、システムが複雑になり、また、使用維持時に負担を招く。加えて、オーバーターンタイプの底網方式を用いても一つの単位内の鶏を全部自動的に落とすことはできず、人の手で追い出さなければならないので（明細書［０００７］段落）、作業者に作業負担を与えるだけでなく自動化機械の作業効率も低減させることとなる。
【先行技術文献】
【特許文献】
【０００４】
【特許文献１】中国公開特許第１０２８９３９０３号
【発明の概要】
【発明が解決しようとする課題】
【０００５】
本発明は、従来技術の技術的問題を解決するため、家禽をケージから搬出する装置および方法であって、ケージ内の鶏を選び出してケージを容易に空けることができる装置および方法を提供する。
【課題を解決するための手段】
【０００６】
本発明に係る家禽をケージから搬出する装置は、水平方向に等間隔で配列された複数のサイド網により複数の空間単位に仕切られることで、前記複数の空間単位が水平方向に連続して配置されたケージと、前記ケージの底に配置された底網層を含み、前記底網層は、底網ブロック部と底網中空部とからなり、前記底網ブロック部は、前記複数の空間単位の底面積の合計と同じ広さの板材であって、前記ケージの底面を形成し、水平方向に沿ってスライドし、前記ケージに対して直線移動が可能であり、前記底網中空部は、前記複数の空間単位のいずれか一つの底面積と同じ広さで形成された孔であって、前記底網ブロック部と一列に配列されて前記底網ブロック部と一体的に移動することを特徴とする。
【０００７】
また、本発明に係る家禽をケージから搬出する装置は、水平方向に平行に配列された複数のサイド網により複数の空間単位に仕切られることで、前記複数の空間単位が水平方向に連続して配置されたケージと、前記ケージの底に配置された上部底網層および下部底網層を含み、前記上部底網層および下部底網層は、それぞれが底網ブロック部と底網中空部とからなり、前記底網ブロック部は、前記空間単位の一つの底面積の整数倍サイズの板材であって、前記ケージの底面を形成し、水平の方向に沿ってスライドし、前記ケージに対して直線移動が可能であり、前記底網中空部は、前記複数の空間単位のいずれか一つの底面積と同じ広さで形成された孔であって、前記底網ブロック部と一列に配列され、前記底網ブロック部と一体的に移動し、前記上部底網層および下部底網層は、別の駆動装置によりスライド駆動されることを特徴とする。
【０００８】
本発明に係る家禽をケージから搬出する装置において、前記上部底網層の底網ブロック部と前記下部底網層の底網ブロック部全体との面積の合計は、前記複数の空間単位全体の底面積の合計以上として、前記ケージ全体に対して底面を形成する配置状態に移動できることが好ましい。
【発明の効果】
【０００９】
本発明が有する利点および肯定的な作用効果によれば、本発明は、上記技術的方案を用いることにより、底網層の水平移動を通じて、底網中空部を空間単位の底に位置させ、空間単位の底が完全に空けられるようにして、底網層が水平に移動する過程で底網ブロック部上にいる鶏がサイド網によりブロッキングされるため、各単位中にいるすべての鶏を全部落し得ることになる。平行移動の方式を利用するので、底網層を立てる必要がなく、底網層の広さがケージ内の各単位の高さにより制限されることがなくなり、ケージが占める空間を低減しながらも、システムの複雑性も減らすことになる。その他、上下部の両底網層の底網ブロック部を設置し、また、底網中空部の間隔を設定する方法を通じて、２つの底網層だけを利用して多数の空間単位から家禽を搬出する問題を解決できるようにする。
【図面の簡単な説明】
【００１０】
【図１】本発明の実施例１の構造を示した概略正面図である。
【図２】図１の実施例の一使用状態を示した部分斜視図である。
【図３】本発明の実施例２の構造を示した概略正面図である。
【図４】図３の実施例の一使用状態を示した部分斜視図である。
【図５】図３の実施例の他の使用状態を示した部分斜視図である。
【図６】本発明の実施例３の構造を示した概略正面図である。
【図７】図６の実施例の一使用状態を示した部分斜視図である。
【図８】図６の実施例の１，３番空間単位内の家禽を搬出するのに用いられる時の使用状態を示した部分斜視図である。
【図９】図６の実施例の２，４番空間単位内の家禽を搬出するのに用いられる時の使用状態を示した部分斜視図である。
【図１０】本発明の実施例４の構造を示した概略正面図である。
【図１１】本発明の実施例２の密閉式チェーン電動方式を開放式チェーン電動方式に変えたことを示す概略正面図である。
【発明を実施するための形態】
【００１１】
本発明の内容、特徴および効果を一層よく理解するため、下記のような実施例と添付図面を示して、本発明を詳述することにする。
【実施例１】
【００１２】
図１および図２を参照すれば、本実施例に係る家禽をケージから搬出する装置は、ケージを含み、ケージには前扉Ｆおよびサイド網１が設置されており、ケージの底には底網層２，２′が配置される。複数のサイド網１は、水平方向に等間隔で配列されており、これらによりケージが複数の空間単位７に仕切られる。図１および図２の実施例では、ケージが一つの空間単位７を有したものとして例示されているが、他の実施例のようにケージが複数の空間単位を有した場合には、各空間単位が水平方向に連続して配置される。
【００１３】
ここで、通常、前扉Ｆとは、空間単位７の前面に配置された金網または横や縦に配列された複数の棒を指し、空間単位内に家禽を収容させる時、または維持管理の側面から空間単位７内部に接近の必要な時、開放可能に設置されている。サイド網１は、固定配置されたものであって、前扉Ｆと同様に金網や複数の棒からなり得るが、隣接した空間単位の間で家禽同士が接触しないように図示のような板材からなってもよい。空間単位７の後壁Ｂは、前扉Ｆやサイド網１のように構成してもよく、大型飼育施設に必要な通気ダクトや糞便処理のための装置などを配置してもよい。
【００１４】
空間単位７の底にスライディング方式で水平方向に沿って直線移動が可能な底網層２，２′が設置されるが、底網層２，２′は、相互一列に配列された底網ブロック部２と底網中空部２′とを含む。上面視で底網ブロック部２は、空間単位の底の形態および大きさと同じ板材であり、底網中空部２′は、底網ブロック部２と同じ形態および大きさの孔であり、底網層２，２′は、チェーン３とチェーンホイール４および駆動装置５を介して連結される。図１および図２では、底網ブロック部２を板材として例示しているが、これは説明の便宜と視覚的な区別のためだけであって、通常のケージと同様に金網で構成してもよく、また底網ブロック部２が水平に配置されたものとして例示しているが、集卵のために前扉Ｆ側が低く傾斜するように配置されてもよい。
【００１５】
本発明の作動原理によれば：
駆動装置５がチェーンホイール４を駆動すると、チェーンホイールがチェーン３を移動させ、チェーンが底網層２，２′を引っ張りながら、底網層２，２′が図面の左側方向に移動するようになる。底網ブロック部２が空間単位７の底から完全に離脱する時、該当空間単位の底は底網中空部２′に代替され、この過程でサイド網１のブロッキングにより底網ブロック部２の上にいる鶏が底網ブロック部２に沿って進めなくなって、これにより、ケージの下方に位置し外に鶏を移送するコンベヤーベルトや鶏移送容器（不図示）に鶏が落ちるようになる。
【００１６】
本実施例に係る底網ブロック部２は水平方向に移動するため、ターンオーバー方式とは関係がなく、したがって、底網層を立てる必要がないのみならず、底網の広さがこれ以上ケージの各単位の高さにより制限されなくなる。しかも、底網層の下方に底網層が下向きにターンオーバーする空間も予め残す必要がないので、鶏が落ちる落下高さを減らすことができて鶏の身体的傷害も防止できるようになる。
【実施例２】
【００１７】
図３および図４を参照すると、実施例２が実施例１と異なる差異点は、ケージが第１空間単位６と第２空間単位７との２つの空間単位を有しており、各空間単位ごとにサイド網１が設置され、サイド網の間隔も同一であるということである。一方、底網層も上部底網層２，２′と下部底網層１２，１２′の２つが設けられ複層に備えられ、図示の状態は飼育中にある状態であって、上部底網層２，２′の底網ブロック部２が、右側の第２空間単位７の底に位置しており、上部底網層２，２′の底網中空部２′は、左側の第１空間単位６の底に位置している。それに対応して、下部底網層１２，１２′の底網ブロック部１２は、左側の第１空間単位６の底、すなわち上部底網層２，２′の底網中空部２′の下方に位置しており、下部底網層１２，１２′の底網中空部１２′は、右側の第２空間単位７の底、すなわち上部底網層２，２′の底網ブロック部２の下方に位置している。上下部底網層２，２′の底網中空部２′および底網ブロック部２の各広さは、各サイド網の間の一つの空間単位の底の広さに該当する。
【００１８】
実施例２の作動原理によれば：
図４および図５を参照すると、左側の第１空間単位６中にいる鶏を搬出するべき際には、下部底網層１２，１２′の底網ブロック部１２が上部底網層２，２′の底網ブロック部２と完全に重なり、下部底網層１２，１２′および上部底網層２，２′の各底網中空部２′，１２′も完全に重なるまで、下部底網層１２，１２′を右側に移動させ、それにより、第１空間単位６の底部に鶏を支える部材がなくなるので、第１空間単位６中にいる鶏は、下方にあるコンベヤーベルトや鶏移送容器に落ちるようになる。第２空間単位７中にいる鶏をケージから搬出するべき際には、図４の状態から上部底網層２，２′の底網ブロック部２が下部底網層１２，１２′の底網ブロック部１２の上側まで移動して下部底網層１２，１２′および上部底網層２，２′の各底網中空部２′，１２′も完全に重なり、すべてが第２空間単位７の下方に位置するまで、上部底網層２，２′を左側に移動させると、図５に例示したような状態になり、これにより、第２空間単位７中にいる鶏が落ち得るようになる。
【実施例３】
【００１９】
図６および図７を参照すると、実施例３が実施例２と異なる差異点は、本実施例のケージが左側から右側まで順に第１空間単位６、第２空間単位７、第３空間単位８および第４空間単位９の４つの空間単位を具備しており、上部底網層２，２′が２つの底網ブロック部２および２つの底網中空部２′を有し、飼育中に上部底網層２，２′の２つの底網ブロック部２がそれぞれ第２空間単位７および第４空間単位９の底に位置しており、上部底網層２，２′の２つの底網中空部２′がそれぞれ第１空間単位６と第３空間単位８との底に位置しており、下部底網層１２，１２′も２つの底ブロック部１２および２つの底網中空部１２′を具備し、飼育中に下部底網層１２，１２′の２つの底網ブロック部１２がそれぞれ第１空間単位６と第３空間単位８との底、すなわち上部底網層２，２′の底網中空部２′の下方に位置しており、下部底網層１２，１２′の２つの底網中空部１２′が第２空間単位７と第４空間単位９との底、すなわち上部底網層２，２′の底網ブロック部２の下方に位置しているということである。この状態では、すべての空間単位の底に、底網ブロック部（２，１２）が位置しているようになる。一方、下部底網層１２，１２′は、上部底網層２，２′とは異なる駆動体系により別個に駆動される。すなわち、下部底網層１２，１２′は、上部底網層２，２′を駆動するチェーン３、チェーンホイール４およびモーター５とは異なる別途のチェーン１３、チェーンホイール１４およびモーター１５により作動させることができる。
【００２０】
実施例３の作動原理によれば：
図６および図７に示されたように、飼育中には各空間単位ごとに一つの底網ブロック部が設置されているため、鶏はケージ内に安定していることができる。第１空間単位６および第３空間単位８中にいる鶏を搬出するべき場合には、図８に示されたように、下部底網層１２，１２′の底網ブロック部１２が上部底網層２，２′の底網ブロック部２と完全に重なり、下部底網層１２，１２′と上部底網層２，２′の中空部２′，１２′も完全に重なるまで、下部底網層１２，１２′を右側に移動させると、第１空間単位６および第３空間単位８の底に鶏を支える部材がなくなるので、第１、第３空間単位６，８中にいる鶏も下方にあるコンベヤーベルトや鶏移送容器に落ちるようになる。図９に示されたように、第２空間単位７および第４空間単位９中にいる鶏を搬出するべき場合には、上部底網層２，２′の底網ブロック部２と下部底網層１２，１２′の底網ブロック部１２とが完全に重なり、下部底網層１２，１２′および上部底網層２，２′の底網中空部２′，１２′も完全に重なるまで、上部底網層２，２′を左側に移動させると、第２、第４空間単位７，９の底に鶏を支える部材がなくなるので、第２、第４空間単位７，９中にいる鶏も落ちるようになる。第２、第４空間単位７，９中にいる鶏を搬出する時、もし第１、第３空間単位６，８の鶏の搬出作業を先に進行したとすれば、つまり図８に例示されたような状態であれば、上下部底網層２，２′，１２，１２′を共に左側に一つの空間単位の広さだけ移動させ、第２、第４空間単位７，９の底を空けると 、その中にいる鶏を落とすことになる。
【００２１】
本実施例では、単に４つの空間単位の例を挙げたが、本実施例から知得した思想により本技術分野の当業者であれば、その思想を利用して６，９，１０，２０ないし数十個の空間単位中にいる鶏を搬出する課題も解決できるはずであり、ただし、上部底網層の底網ブロック部が奇数番目の空間単位の底に位置し、中空部が偶数番目の空間単位の底部に位置し、下部底網層の底網ブロック部が偶数番目の空間単位の下方に位置し、その中空部が奇数番目の空間単位の下方に位置し、この時、モーターのパワーがその底網層の移動を十分に牽引できることを保障しさえすればよい。もちろん、上部底網層と下部底網層とは、互いに位置が変わってもよい。
【実施例４】
【００２２】
図１０に示されたように、本実施例が実施例３と異なる差異点は、下部底網層１２，１２′の底網ブロック部１２が第１、第２空間単位６，７の底に連なって形成されており、その底網ブロック部１２の大きさが第１空間単位６と第２空間単位７との底面積の合計と一致し、上部底網層２，２′の底網ブロック部２が第３、第４空間単位８，９の底に連なって形成されており、その底網ブロック部２の大きさが第３空間単位８と第４空間単位９との底面積の合計と一致するということである。反対に、上部底網層２，２′の底網中空部２′は、第３空間単位８および第４空間単位９に対応されるように連なって形成されており、下部底網層１２，１２′の底網中空部１２′は、第１空間単位６および第２空間単位７に対応されるように配置されている。
【００２３】
本実施例の作動原理によれば：
第１、第２空間単位６，７中にいる鶏を搬出するべき場合には、下部底網層１２，１２′の底網ブロック部１２と上部底網層２，２′の底網ブロック部２とが完全に重なり、下部底網層１２，１２′の底網中空部１２′が上部底網層２，２′の底網中空部２′と完全に重なるまで、下部底網層１２，１２′を右側に二つの空間単位の幅だけ移動させると、第１空間単位６および第２空間単位７の底に鶏を支える部材がなくなるので、第１、第２空間単位６，７中にいる鶏が下方にあるコンベヤーベルトや鶏移送容器に落ちるようになる。第３空間単位８および第４空間単位９中にいる鶏を搬出するべき場合には、上部底網層２，２′の底網ブロック部２と下部底網層１２，１２′の底網ブロック部１２と完全に重なり、下部底網層１２，１２′および上部底網層２，２′の底網中空部２′，１２′も完全に重なるまで、上部底網層２，２′を左側に二つの空間単位の幅だけ移動させると、第３、第４空間単位８，９の底に鶏を支える部材がなくなるので、第３、第４空間単位８，９中にいる鶏が落ちるようになる。
【００２４】
もちろん、本実施例では、単に４つの空間単位の例を挙げたが、本実施例から知得した 思想により第１、第２空間単位の底の底網ブロック部および第３、第４空間単位の底の底網ブロック部を各々延長することもできる。例えば、一つの底網ブロック部が第１ないし第１０空間単位をブロッキングすることを担当し、他の一つの底網ブロック部が第１１ないし第２０空間単位をブロッキングすることを担当して、計２０個の空間単位の鶏を搬出する課題を解決することができる。
【００２５】
上述のように、図面を利用して本発明の好ましい実施例に対して記述したが、本発明は、上記具体的な実施方式に限定されるものではなく、上記具体的実施方式は単に例示に過ぎず、制限性がないものなので、本技術分野の通常の知識を持った者ならば、本発明から知得した思想によって、本発明の趣旨と権利保護を要請する範囲を外れない前提下で、本発明を多様な形式で実施することもできるであろう。（１）本出願は、養鶏時に用いられるだけでなく、同様に鴨を強制肥育して飼育する場合にも用いられる。（２）チェーンとチェーンホイールとを用いて動力を伝達するほかに、キャプスタンおよびワイヤーまたはベルトおよびフリーの組合せにより、チェーンを代えて、動力を伝達することもできる。（３）あるいは、ボールスクリュー（ｂａｌｌ  ｓｃｒｅｗ）やスクリューナット（ｓｃｒｅｗ  ｎｕｔ）構造により底網層の水平的な移動を可能とすることもできる。（４）本発明において列挙された実施例は、すべてチェーンが閉ループ上で作動する、いわゆる密閉式チェーン電動を用いているが、図１１に示されたように、開放式チェーン電動も使用でき、この時には、各底網層ごとに２つのモーター５，１５，５′，１５′で底網層を各々駆動しながら、水平移動を可能とする。（５）本発明において列挙された実施例によれば、それぞれの空間単位は、上面視ですべて長方形状であるが、それぞれの空間単位を長方形でなく平行四辺形でも製作することができる。（６）または、実施例３の底網ブロック部および底網中空部は、さらに長く延長させることもできる。例えば、上部底網層を（５つの空間単位の長さだけの底網ブロック部）＋（５つの空間単位の長さだけの底網中空部）＋（５つの空間単位の長さだけの底網ブロック部）＋（５つの空間単位の長さだけの底網中空部）で製作し、下部底網層を上部底網層と同じ形態で製作し、底網中空部および底網ブロック部が上部底網層と交差するように配置する。これにより、２０個の連続した空間単位に対して、鶏を飼育したり搬出したりするのに適用でき、それ以上の空間単位への拡張もまたすべて本発明の保護範囲内に属する。
【００２６】
以上から分かるように、飼育状態においてすべての空間単位に底が存在しなければならないので、いずれの場合でも上部底網層と下部底網層のそれぞれの底網ブロック部の面積の合計は、各空間単位の底面積を合わせたもの以上であるべきであり、また、水平移動により各空間単位の底に移動できる配置状態を有するべきである。反対に、各底網中空部は、上部底網層と下部底網層に、各々一つずつ以上のみ備われば十分である。ただし、この底網中空部が互いに重なるように配置され、またすべての空間単位の底に移動できる状態にはなるべきである。
【符号の説明】
【００２７】
１：サイド網
２，１２：底網ブロック部
２′，１２′：底網中空部
３，１３：チェーン
４，１４：チェーンホイール
５，１５：駆動装置
６：第１空間単位
７：第２空間単位
８：第３空間単位
９：第４空間単位
【図１】
0006368358.tif 000002
【図２】
0006368358.tif 000003
【図３】
0006368358.tif 000004
【図４】
0006368358.tif 000005
【図５】
0006368358.tif 000006
【図６】
0006368358.tif 000007
【図７】
0006368358.tif 000008
【図８】
0006368358.tif 000009
【図９】
0006368358.tif 000010
【図１０】
0006368358.tif 000011
【図１１】
0006368358.tif 000012